(57)【要約】【課題】サポーター付の手袋で、サポーターによる保護や補助が手首からヒジまでの任意の部位にできるようにする。【解決手段】手袋本体１０の袖口１３に接続部材１１を介して筒型のサポーター１２を取り付ける。こうすることで、接続部材１１を調節してサポーター１２の位置を移動できるようにする。そして、サポートを必要とする手首や腕などに的確に装着できるようにする。【選択図】図１
0003108690.tif 000002
【実用新案登録請求の範囲】
【請求項１】
袖口に柔軟性あるいは伸縮性のいずれか一方、または両方を備えた筒状の接続部材を介して筒型のサポーターを取り付けた手袋。
【請求項２】
上記接続部材が通気性あるいは保温性のいずれか一方、または両方を有するものである請求項１に記載の手袋。
【請求項３】
上記袖口の甲側及び掌側の端部に、それぞれ係止片を設け、その係止片に吊り下げ孔を形成した請求項１または２に記載の手袋。
【考案の詳細な説明】
【技術分野】
【０００１】
この考案は、作業、スポーツ、レジャーなどに使われる手袋に関するものである。
【背景技術】
【０００２】
手首部分にサポーターを形成した手袋が、例えば〔特許文献１〕に記載されている。
【０００３】
この手袋は、例えば図６に示すようなもので、サポーター（リストバンド）１が手首を被うので、危険を伴う作業やスポーツあるいはレジャーなどで装着すれば、手と手首を保護できるというものである。
【特許文献１】登録実用新案第３０８６１８８号公報
【考案の開示】
【考案が解決しようとする課題】
【０００４】
しかしながら、上記の手袋では、手袋本体とサポーターとが一体化されているので、手首部分の保護しかできない問題があった。
【０００５】
すなわち、例えば図７のａ〜ｂに示す手首周辺（親指下方の部分から手首の後方の部分）の部分は、手先を激しく使った際に筋などを傷め易く、その傷めた箇所の保護や傷めそうな箇所の予防を最もしたいところであるが、一体化されたサポーターは手首の部分しか保護できないというものである。
【０００６】
そのため、例えば、別にサポーターを準備すると手袋と一緒に保管するには嵩張るし、持ち運びにも不便であり、また、紛失などの機会も増える問題が考えられる。
【０００７】
そこで、この考案の課題は、手首周辺の保護や怪我の予防あるいは補助ができるようにすることである。また、その際、出来るだけ嵩張ったり、持ち運びにも不便にならず、しかも紛失などを起こし難くすることである。
【課題を解決するための手段】
【０００８】
この考案は、上記の課題を解決するため、袖口に柔軟性あるいは伸縮性のいずれか一方、または両方を備えた筒状の接続部材を介して筒型のサポーターを取り付けた手袋の構成を採用したのである。
【０００９】
このような構成を採用することにより、柔軟性を備えた接続部材は、折り畳んだり、「たくる」ことができるので、そのように折り畳んだり、たくったりすることで接続部材の長さを変えてサポーターの位置を変えることができる（例えば、接続部材を折り畳んだりあるいは「たくったり」して手袋の袖口の中へ入れることも可能）。また、接続部材は、柔軟性があるので手首の動作を妨げない。このとき、接続部材が伸縮性を有するものである場合も、接続部材を伸び縮みさせることができるので、接続部材の長さを変えれば、サポーターの位置を必要に応じて変えることができる。また、このとき、接続部材でサポーターは手袋に連結されてバラバラにならないので、嵩張ったり、持ち運びにも不便にならず、しかも紛失などを起き難くできる。
【００１０】
また、このとき、上記接続部材が通気性あるいは保温性のいずれか一方、または両方を有するものであるという構成を採用することにより、装着して接続部材で蒸れないようにしたり、保温により装着時に血行を改善し体温の低下を防止し装着感を改善できる。
【００１１】
一方、上記袖口の甲側及び掌側の端部に、それぞれ係止片を設け、その係止片に吊り下げ孔を形成した構成を採用することができる。
【００１２】
そのため、前記係止片を引っ張れば、手袋の袖口よりもたやすく引き上げることができるので装着が確実にできる。また、手袋の使用後は、手袋の係止片の吊り下げ孔をフックなどに引っ掛けて保管（陰干し）することができる。
【考案の効果】
【００１３】
この考案は、上記のように構成したことにより、接続部材の長さを調整してサポーターを必要な部位へ移動させることができるので、サポーターの機能を十分に発揮させることができる。また、接続部材でサポーターと連結してバラバラにならないようにしたので、嵩張ったり、持ち運びにも不便にならず、紛失などを起こし難くできる。
【考案を実施するための最良の形態】
【００１４】
以下、この考案の最良の形態の一つを図面に基づいて説明する。
図１に示す手袋は、手袋本体１０と接続部材１１及びサポーター１２とからなり、手袋本体１０の袖口１３に接続部材１１を介して筒型のサポーター１２を取り付けた構造となっている。
【００１５】
手袋本体１０は、本体部材、親指甲部材、中指掌部材、薬指掌部材で構成されており、本体部材は掌部材と甲部材とで構成されている。そして、前記本体部材の掌部材と甲部材に前記各指部材を縫着し、折り返しで折り曲げて掌部材と甲部材を重ね合わせたのち、周囲を縫着することで手袋に形成したもので、きわめて一般的な手袋である。
【００１６】
また、前記手袋本体１０の掌部材と甲部材の袖口１３は、図２のように折り返して接続部材１１の一方の端部を挟み込んで縫着してある。
【００１７】
また、その掌部材と甲部材の端部には、図１に示すような、係止片１７が取り付けてある。前記係止片１７は、細長い短冊状のもので、一方に吊り下げ用の孔１８を設け、他方を接合部として袖口１３と接続部材１１の端部との間に挟み込んで、図２のように一緒に縫着してある。
【００１８】
前記接続部材１１は、柔軟性あるいは伸縮性またはその両方を備えた縫製可能な素材、例えば、柔軟性を備えた革や人工皮革あるいは柔軟性と伸縮性を備えた布などを縫い合わせて筒状にしたもので構成している。そして、このような接続部材１１の端部を折り返して接合することにより、両方の端部が折り込まれて手を挿入したときに邪魔にならないようにして装着感の向上を図っている。
【００１９】
このとき、接続部材１１には、柔軟性と伸縮性を有し、かつ、通気性の良い例えばメッシュなどが形成された布材や保温性の高いものや吸汗性を有するものを状況に応じて使用することにより、さらに使い心地を良くすることができる。この接続部材１１の他方の端部は、サポーター１２の一方の端部と縫着してある。
【００２０】
前記サポーター１２は、ゴムを織り込んだ布を筒型に形成したもので、図２のように内側に折り曲げた接続部材１１の端部に縫着してある。
【００２１】
この形態は、以上のように構成されており、この手袋では、手をサポーター１２の開口（図１の下方から）１９から接続部材１１を通過して手袋本体１０の中へ入れる。その際、両側の係止片１７を残りの手で交互に引っ張るようにすれば、つかみやすくて装着が容易にできる。また、このとき、接続部材１１は、柔軟性があるので、図１のように最大に伸ばして手首の後方へサポーター１２を装着した状態から、例えば図３のように手袋の袖口１３の内側へ折り畳んで（折り込んでも良い）サポーター１２を手首に装着した状態までの間で最適な位置を選ぶことができる。また、これ以外にも、例えば図４のようにサポーター１２を折り込んで手袋内部へ装着すれば、親指下方の患部も直接（サポーター１２で）保護することができる。このとき、接続部材１１はサポーター１２と手袋本体１０との間に押し込めばよく、押し込みやすいように、接続部材１１とサポーター１２及び接続部材１１と手袋本体１０とは図２で示したように縫着して曲げ易くしてある。
【００２２】
このように接続部材１１を調節してサポーター１２の位置を、手首周辺で変えることができる。したがって、使用者が保護や補助したい部位へ移動できるので、サポーター１２の機能を十分に発揮させることができる。そのため、手首周辺の怪我の予防や保護（例えば、捻挫などで痛みや炎症のある部位）、あるいは手を使う作業時の負担の軽減などの効果が期待できる。
【００２３】
また、このように、接続部材１１で手袋本体１０とサポーター１２とを連結し、その間を被ったので、手袋内へのゴミなどの異物の進入も防止できる。その際、接続部材１１に通気性の良いものを採用すれば、蒸れにくくできるので装着感を向上できる。加えて、接続部材１１に保温性の良いものを採用すれば、装着時に血行を改善して体温の低下も防止できる。さらに、接続部材に吸汗性の良いものを採用すれば、装着時に汗をかくことがあっても汗を吸い取って不快感を無くすことができる。
【００２４】
一方、使用後は、図５のように、いずれか（図では左右）の係合片１７を使って（例えば、フック状のものに引っ掛けて）、風通しの良い場所に吊して陰干しすれば、「カビ」などの発生を防止して保管できる。
【００２５】
また、この手袋を保管や持ち歩く際には、サポーター１２は接続部材１１で手袋本体１０と連結されているので、例えば折り畳んだり、接続部材１１を手袋本体１０へ畳み込めば、嵩張ったりしないので便利であり、しかも、サポーター１２と手袋本体１０がバラバラにならないので、紛失なども起き難くできる。
【産業上の利用可能性】
【００２６】
この形態では、手袋に革を使ったものについて述べたが、これに限定されるものではない。これ以外にも、ゴムや布などを使った手袋でも良く、編み手袋、ファッション軍手、ゴルフ手袋、スキー手袋、アウトドア手袋など多種多様な手袋に適用できる。
【図面の簡単な説明】
【００２７】
【図１】実施形態の正面図
【図２】実施形態の作用説明図
【図３】実施形態の作用説明図
【図４】実施形態の作用説明図
【図５】実施形態の作用説明図
【図６】従来例の正面図
【図７】従来例の作用説明図
【符号の説明】
【００２８】
１０  手袋本体
１１  接続部材
１２  サポーター
１３  袖口
１７  係止片
１８  孔
【図１】
0003108690.tif 000003
【図２】
0003108690.tif 000004
【図３】
0003108690.tif 000005
【図４】
0003108690.tif 000006
【図５】
0003108690.tif 000007
【図６】
0003108690.tif 000008
【図７】
0003108690.tif 000009